(57)【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群より構成され、ズーミングに際して隣り合うレンズ群の間隔が変化するズームレンズであって、
望遠端における前記第４レンズ群と前記第５レンズ群の間隔は広角端よりも大きく、
無限遠物体から近距離物体へのフォーカシングに際して、前記第４レンズ群は像側へ移動し、
望遠端において無限遠物体に合焦しているときの前記第２レンズ群の横倍率をβ２ｔ、前記第４レンズ群と前記第５レンズ群と前記第６レンズ群の合成ズーム比をＺｒとするとき、
−１．３＜β２ｔ＜−１．１
１．４＜Ｚｒ＜１．９
なる条件式を満足することを特徴とするズームレンズ。
【請求項２】
前記第１レンズ群は、物体側より像側へ順に配置された、負レンズ、正レンズ、正レンズより構成され、前記第１レンズ群に含まれる正レンズの材料のｄ線におけるアッベ数の平均値をνｄ２３とするとき、
７５．０＜νｄ２３＜１００．０
なる条件式を満足することを特徴とする請求項１に記載のズームレンズ。
【請求項３】
物体側より像側へ順に配置された、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群より構成され、ズーミングに際して隣り合うレンズ群の間隔が変化するズームレンズであって、
望遠端における前記第４レンズ群と前記第５レンズ群の間隔は広角端よりも大きく、
無限遠物体から近距離物体へのフォーカシングに際して、前記第４レンズ群は像側へ移動し、
前記第１レンズ群は、物体側より像側へ順に配置された、負レンズ、正レンズ、正レンズより構成され、
前記第１レンズ群に含まれる正レンズの材料のｄ線におけるアッベ数の平均値をνｄ２３とするとき、
７５．０＜νｄ２３＜１００．０
なる条件式を満足することを特徴とするズームレンズ。
【請求項４】
望遠端において無限遠物体に合焦しているときの前記第２レンズ群の横倍率をβ２ｔとするとき、
−１．４＜β２ｔ＜−１．０
なる条件式を満足することを特徴とする請求項３に記載のズームレンズ。
【請求項５】
前記第４レンズ群と前記第５レンズ群と前記第６レンズ群の合成ズーム比をＺｒとするとき、
１．４＜Ｚｒ＜１．９
なる条件式を満足することを特徴とする請求項３又は４に記載のズームレンズ。
【請求項６】
無限遠物体に合焦しているときの広角端から望遠端へのズーミングに際して、前記第３レンズ群と前記第４レンズ群の間隔は増大したのち減少することを特徴とする請求項１乃至５のいずれか１項に記載のズームレンズ。
【請求項７】
望遠端における前記ズームレンズの焦点距離をｆｔ、前記第６レンズ群の焦点距離をｆ６とするとき、
０．０６＜ｆ６／ｆｔ＜０．１５
なる条件式を満足することを特徴とする請求項１乃至６のいずれか１項に記載のズームレンズ。
【請求項８】
望遠端における前記第１レンズ群と前記第２レンズ群の間隔は広角端よりも大きく、望遠端における前記第２レンズ群と前記第３レンズ群の間隔は広角端よりも小さく、望遠端における前記第５レンズ群と前記第６レンズ群の間隔は広角端よりも小さいことを特徴とする請求項１乃至７のいずれか１項に記載のズームレンズ。
【請求項９】
前記第１レンズ群乃至第６レンズ群は全てズーミングに際して移動することを特徴とする請求項１乃至８のいずれか１項に記載のズームレンズ。
【請求項１０】
開口絞りを有し、前記開口絞りはズーミングに際して前記第３レンズ群と一体的に移動することを特徴とする請求項１乃至９のいずれか１項に記載のズームレンズ。
【請求項１１】
請求項１乃至１０のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラ、銀塩写真用カメラなどの撮像装置の撮像光学系として好適なものである。
【背景技術】
【０００２】
近年、撮像装置は高機能化されている。それに伴い撮像装置に用いる撮像光学系としては、高いズーム比（変倍比）で全ズーム範囲にわたり高い光学性能を有するズームレンズであることが要求されている。また、迅速なフォーカシング（合焦）を行うために、フォーカスレンズ群は小型軽量であること等が要求されている。これらの要求を満足するズームレンズとして、最も物体側に正の屈折力のレンズ群を配置したポジティブリード型で物体側の第１レンズ群以外のレンズ群でフォーカシングを行うリアーフォーカス方式のズームレンズが知られている（特許文献１、２）。
【０００３】
特許文献１では、物体側から像側へ順に、正、負、正、負、負の屈折力の第１レンズ群ないし第５レンズ群から成り、ズーミングに際して隣り合うレンズ群の間隔が変化するズームレンズを開示している。特許文献１では第４レンズ群を移動させることによりフォーカシングを行うズーム比１０程度のズームレンズを開示している。
【０００４】
特許文献２では、物体側から像側へ順に、正、負、正、負、負、正の屈折力の第１レンズ群乃至第６レンズ群から成り、ズーミングに際して隣り合うレンズ群の間隔が変化するズームレンズを開示している。特許文献２では第４レンズ群を移動させることによりフォーカシングを行うズーム比４程度のズームレンズを開示している。
【先行技術文献】
【特許文献】
【０００５】
【特許文献１】特開２０１１−２４７９６２号公報
【特許文献２】特開２０１２−４７８１４号公報
【発明の概要】
【発明が解決しようとする課題】
【０００６】
ポジティブリード型のズームレンズにおいて、高ズーム比で全ズーム範囲及び全物体距離にわたり高い光学性能を得るには、ズームレンズを構成する各要素を適切に設定することが重要となってくる。例えばズームタイプ（レンズ群の数や各レンズ群の屈折力、ズーミングに際してのレンズ群の移動条件等）や、フォーカス用のレンズ群の選定等を適切に設定することが重要になってくる。特にフォーカス用のレンズ群は、その屈折力やフォーカシングに際しての移動条件等を適切に設定することが重要になってくる。
【０００７】
特許文献１および特許文献２のズームレンズは、広角端から望遠端へのズーミングに際し、第４レンズ群と第５レンズ群の間隔を減少させ、ズーム比を大きくしつつズーミングに伴う収差変動を軽減している。これらのズームレンズにおいて高ズーム比を図ろうとすると、望遠端において第４レンズ群と第５レンズ群の間隔が小さくなる傾向がある。
【０００８】
望遠端において第４レンズ群と第５レンズ群の間隔が小さくなると、無限遠から近距離へのフォーカシングに際して第４レンズ群を像側へ移動させる空間が少なくなり、広い物体距離でフォーカシングを行うことが困難になってくる。また、このようなズームレンズでは、フォーカシングのために、第４レンズ群が移動するための光軸方向の間隔を予め確保しなければならず、レンズ全長が増大する傾向があった。このため、全系の小型化を図りつつ、高ズーム比で全ズーム範囲にわたり高い光学性能を得ることが困難になる傾向があった。
【０００９】
本発明は、高ズーム比で全ズーム範囲及び全物体距離にわたり高い光学性能が容易に得られるズームレンズ及びそれを有する撮像装置を提供することを目的とする。
【課題を解決するための手段】
【００１０】
本発明のズームレンズは、物体側より像側へ順に配置された、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群より構成され、ズーミングに際して隣り合うレンズ群の間隔が変化するズームレンズであって、
望遠端における前記第４レンズ群と前記第５レンズ群の間隔は広角端よりも大きく、
無限遠物体から近距離物体へのフォーカシングに際して、前記第４レンズ群は像側へ移動し、
望遠端において無限遠物体に合焦しているときの前記第２レンズ群の横倍率をβ２ｔ、前記第４レンズ群と前記第５レンズ群と前記第６レンズ群の合成ズーム比をＺｒとするとき、
−１．３＜β２ｔ＜−１．１
１．４＜Ｚｒ＜１．９
なる条件式を満足することを特徴としている。
この他、本発明のズームレンズは、物体側より像側へ順に配置された、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群より構成され、ズーミングに際して隣り合うレンズ群の間隔が変化するズームレンズであって、
望遠端における前記第４レンズ群と前記第５レンズ群の間隔は広角端よりも大きく、
無限遠物体から近距離物体へのフォーカシングに際して、前記第４レンズ群は像側へ移動し、
前記第１レンズ群は、物体側より像側へ順に配置された、負レンズ、正レンズ、正レンズより構成され、
前記第１レンズ群に含まれる正レンズの材料のｄ線におけるアッベ数の平均値をνｄ２３とするとき、
７５．０＜νｄ２３＜１００．０
なる条件式を満足することを特徴としている。
【発明の効果】
【００１１】
本発明によれば、高ズーム比で全ズーム範囲及び全物体距離にわたり高い光学性能が容易に得られるズームレンズが得られる。
【図面の簡単な説明】
【００１２】
【図１】（Ａ）、（Ｂ）、（Ｃ）  実施例１の無限遠物体合焦時のズームレンズの広角端、中間のズーム位置、望遠端におけるレンズ断面図
【図２】（Ａ）、（Ｂ）、（Ｃ）  実施例１の無限遠物体合焦時の広角端、中間のズーム位置、望遠端における収差図
【図３】（Ａ）、（Ｂ）、（Ｃ）  実施例１の物体距離７００ｍｍ合焦時の広角端、中間のズーム位置における収差図、物体距離１２００ｍｍ合焦時の望遠端における収差図
【図４】（Ａ）、（Ｂ）、（Ｃ）  実施例２の無限遠物体合焦時のズームレンズの広角端、中間のズーム位置、望遠端におけるレンズ断面図
【図５】（Ａ）、（Ｂ）、（Ｃ）  実施例２の無限遠物体合焦時の広角端、中間のズーム位置、望遠端における収差図
【図６】（Ａ）、（Ｂ）、（Ｃ）  実施例２の物体距離７００ｍｍ合焦時の広角端、中間のズーム位置における収差図、物体距離１２００ｍｍ合焦時の望遠端における収差図
【図７】（Ａ）、（Ｂ）、（Ｃ）  実施例３の無限遠物体合焦時のズームレンズの広角端、中間のズーム位置、望遠端におけるレンズ断面図
【図８】（Ａ）、（Ｂ）、（Ｃ）  実施例３の無限遠物体合焦時の広角端、中間のズーム位置、望遠端における収差図
【図９】（Ａ）、（Ｂ）、（Ｃ）  実施例３の物体距離７００ｍｍ合焦時の広角端、中間のズーム位置における収差図、物体距離１２００ｍｍ合焦時の望遠端における収差図
【図１０】本発明の撮像装置の要部概略図
【発明を実施するための形態】
【００１３】
以下に本発明の好ましい実施の形態を、添付の図面に基づいて説明する。本発明のズームレンズは、物体側より像側へ順に、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群より構成される。そしてズーミングに際して隣り合うレンズ群の間隔が変化する。望遠端における、第４レンズ群と第５レンズ群の間隔は広角端よりも大きい。無限遠物体から近距離物体へのフォーカシングに際し、第４レンズ群は像側へ移動する。
【００１４】
図１（Ａ）、（Ｂ）、（Ｃ）は実施例１の無限遠物体に合焦時の広角端（短焦点距離端）、中間のズーム位置、望遠端（長焦点距離端）におけるレンズ断面図である。図２（Ａ）、（Ｂ）、（Ｃ）は実施例１の無限遠物体に合焦時の広角端、中間のズーム位置、望遠端における収差図である。図３（Ａ）、（Ｂ）は実施例１の物体距離７００ｍｍに合焦時の広角端、中間のズーム位置における収差図である。図３（Ｃ）は実施例１の物体距離１２００ｍｍに合焦時の望遠端における収差図である。実施例１はズーム比１８．８６、Ｆナンバー２．３８〜５．８８程度のズームレンズである。
【００１５】
図４（Ａ）、（Ｂ）、（Ｃ）は実施例２の無限遠物体に合焦時の広角端、中間のズーム位置、望遠端におけるレンズ断面図である。図５（Ａ）、（Ｂ）、（Ｃ）は実施例２の無限遠物体に合焦時の広角端、中間のズーム位置、望遠端における収差図である。図６（Ａ）、（Ｂ）は実施例２の物体距離７００ｍｍに合焦時の広角端、中間のズーム位置における収差図である。図６（Ｃ）は実施例２の物体距離１２００ｍｍに合焦時の望遠端における収差図である。実施例２はズーム比１８．８６、Ｆナンバー２．６８〜５．８３程度のズームレンズである。
【００１６】
図７（Ａ）、（Ｂ）、（Ｃ）は実施例３の無限遠物体に合焦時の広角端、中間のズーム位置、望遠端におけるレンズ断面図である。図８（Ａ）、（Ｂ）、（Ｃ）は実施例３の無限遠物体に合焦時の広角端、中間のズーム位置、望遠端における収差図である。図９（Ａ）、（Ｂ）は実施例３の物体距離７００ｍｍに合焦時の広角端、中間のズーム位置における収差図である。図９（Ｃ）は実施例３の物体距離１２００ｍｍに合焦時の望遠端における収差図である。実施例３はズーム比１８．８６、Ｆナンバー２．８８〜５．６９程度のズームレンズである。
【００１７】
図１０は本発明のズームレンズを備えるデジタルカメラ（撮像装置）の要部概略図である。
【００１８】
各実施例のズームレンズはデジタルカメラやビデオカメラ、放送用カメラ、監視用カメラ、銀塩写真用カメラなどの撮像装置に用いられるズームレンズである。尚、実施例のズームレンズは投射装置（プロジェクタ）用の投射光学系として用いることもできる。
【００１９】
レンズ断面図において、左方が物体側（前方）で、右方が像側（後方）である。また、レンズ断面図において、ｉを物体側からのレンズ群の順番とすると、Ｌｉは第ｉレンズ群を示す。ＳＰは開口絞りである。ＩＰは像面である。像面ＩＰは、デジタルカメラやビデオカメラなどの撮像装置としてズームレンズを使用する際には、ＣＣＤセンサやＣＭＯＳセンサなどの固体撮像素子（光電変換素子）の撮像面に相当する。銀塩フィルムカメラの撮像装置としてズームレンズを使用する際には、フィルム面に相当する。広角端から望遠端へのズーミングに際して、矢印に示すように各レンズ群を移動させている。
【００２０】
フォーカスに関する矢印は無限遠物体から近距離物体へのフォーカシングに際して、第４レンズ群の移動方向を示している。球面収差図において、ＦｎｏはＦナンバーである。またｄはｄ線（波長５８７．６ｎｍ）、ｇはｇ線（波長４３５．８ｎｍ）である。非点収差図でＭはｄ線におけるメリディオナル像面、Ｓはｄ線におけるサジタル像面である。歪曲収差図はｄ線について示している。倍率色収差図はｇ線について示している。ωは半画角（度）である。
【００２１】
各実施例のズームレンズは、物体側から像側へ順に、次のとおりに構成されている。正の屈折力の第１レンズ群Ｌ１、負の屈折力の第２レンズ群Ｌ２、正の屈折力の第３レンズ群Ｌ３、開口絞りＳＰ、負の屈折力の第４レンズ群Ｌ４，負の屈折力の第５レンズ群Ｌ５、正の屈折力の第６レンズ群Ｌ６から構成されている。
【００２２】
各実施例では、第ｉレンズ群Ｌｉと第ｉ＋１レンズ群Ｌｉ＋１との間隔を変えてズーミングしている。即ち、ズーミングに際して隣り合うレンズ群の間隔が変化するように各レンズ群が移動する。具体的には、広角端と比較して望遠端での第１レンズ群Ｌ１と第２レンズ群Ｌ２の間隔が大きくなるように、第１レンズ群Ｌ１および第２レンズ群Ｌ２が移動する。同様に、第２レンズ群Ｌ２と第３レンズ群Ｌ３との間隔が小さく、第４レンズ群Ｌ４と第５レンズ群Ｌ５との間隔が大きく、第５レンズ群Ｌ５と第６レンズ群Ｌ６との間隔が小さくなるように、第３レンズ群Ｌ３乃至第６レンズ群Ｌ６が移動する。
【００２３】
開口絞りＳＰは、第３レンズ群Ｌ３の像側に配置されており、ズーミングに際して第３レンズ群Ｌ３と一体的に（同じ軌跡で）移動している。広角端から望遠端へのズーミングに際して、第４レンズ群Ｌ４と第５レンズ群Ｌ５との間隔が増大するようにして、ズーミングに伴う球面収差、像面湾曲等の諸収差の変動を軽減している。これにより、全ズーム範囲にわたり高い光学性能を得ている。
【００２４】
また前述した如く、各レンズ群間の間隔変化により、ズーミングに伴う球面収差、非点収差等の収差変動を抑制しつつ、無限遠物体から近距離物体へのフォーカシングに際して第４レンズ群Ｌ４が像側に移動するための間隔を確保している。
【００２５】
無限遠物体から近距離物体へのフォーカシングは、小型軽量な第４レンズ群Ｌ４を像側に移動させて行うリアーフォーカス方式を用いている。これによれば、第１レンズ群Ｌ１を移動させてフォーカシングするズームレンズに比べて第１レンズ群Ｌ１の有効径が小さくなり、レンズ系全体の小型化が容易になる。さらに、小型軽量な第４レンズ群Ｌ４でフォーカシングを行うので、駆動力が小さくて済み迅速なオートフォーカシングが容易となる。
【００２６】
各実施例では以上の構成により、高ズーム比で全ズーム範囲にわたり高い光学性能を達成した、リアーフォーカス方式のズームレンズを得ている。各実施例において、無限遠物体に合焦しているときの広角端から望遠端へのズーミングに際して、第３レンズ群Ｌ３と第４レンズ群Ｌ４の間隔は増大したのち、減少している。即ち、中間のズーム位置において双方のレンズ群の間隔は最大となるようにしている。
【００２７】
一般に、前述したズームタイプの高ズーム比のズームレンズでは、中間のズーム位置において、像面湾曲、非点収差等の収差変動が大きくなる傾向にある。そこで広角端から望遠端へのズーミングに際し、中間のズーム位置において第３レンズ群Ｌ３と第４レンズ群Ｌ４の間隔が最大となるようにして、ズーミングに伴う像面湾曲、非点収差等の収差変動を軽減している。
【００２８】
各実施例において好ましくは次の条件式のうち１つ以上を満足するのが良い。望遠端において無限遠物体に合焦しているときの第２レンズ群Ｌ２の横倍率をβ２ｔとする。第４レンズ群Ｌ４のズーム比Ｚ４と、第５レンズ群Ｌ５のズーム比Ｚ５と、第６レンズ群Ｌ６のズーム比Ｚ６の合成ズーム比をＺｒとする。ここでレンズ群のズーム比Ｚとはレンズ群の広角端における結像倍率をβｗ、望遠端における結像倍率をβｔとするとき、
Ｚ＝βｔ／βｗ
である。また合成ズーム比Ｚｒは
Ｚｒ＝Ｚ４・Ｚ５・Ｚ６
である。
【００２９】
第１レンズ群Ｌ１は物体側より像側へ順に、負レンズ、正レンズ、正レンズより構成され、第１レンズ群Ｌ１に含まれる正レンズの材料のd線におけるアッベ数の平均値をνｄ２３とする。望遠端におけるズームレンズ全系 の焦点距離をｆｔ、第６レンズ群Ｌ６の焦点距離をｆ６とする。このとき次の条件式のうち１つ以上を満足するのが良い。
【００３０】
−１．４＜β２ｔ＜−１．０            ・・・（１）
１．４＜Ｚｒ＜１．９                  ・・・（２）
７５．０＜νｄ２３＜１００．０        ・・・（３）
０．０６＜ｆ６／ｆｔ＜０．１５        ・・・（４）
【００３１】
次に前述の各条件式の技術的意味について説明する。最も物体側に正の屈折力のレンズ群を配置した、ポジティブリードタイプのズームレンズでは、広角端に対し、望遠端において無限遠物体に合焦時の第２レンズ群Ｌ２の横倍率の絶対値を大きくすると高ズーム比が容易になる。しかし、高ズーム比化を図りつつ全ズーム範囲にわたり高い光学性能を実現するためには、望遠端における横倍率の値を適切に設定する必要がある。条件式（１）は、その望遠端における第２レンズ群Ｌ２の横倍率を適切に規定するものである。
【００３２】
条件式（１）の上限値を超えて、望遠端における第２レンズ群Ｌ２の横倍率β２ｔが大きくなりすぎると、ズーム比が小さくなるため、高ズーム比を達成するのが困難となる。条件式（１）の下限値を超えて、望遠端における第２レンズ群Ｌ２の横倍率β２ｔが小さくなりすぎると、第２レンズ群Ｌ２の負の屈折力が強くなる、またはズーミングに際しての移動量が大きくなりズーム全域にわたり高い光学性能を実現することが困難となる。更に好ましくは、条件式（１）の数値範囲を次の如く設定するのが良い。
−１．３＜β２ｔ＜−１．１  ・・・（１ａ）
【００３３】
高ズーム比を達成するためには、主変倍レンズ群である第２レンズ群Ｌ２のズーム比が大きいだけでなく、それに続く第４レンズ群Ｌ４と第５レンズ群Ｌ５と第６レンズ群Ｌ６の合成の後群ＬＲの合成ズーム比Ｚｒを適切に設定する必要がある。
【００３４】
条件式（２）は、その後群ＬＲの合成ズーム比を適切に規定するものである。条件式（２）の上限値を超えて、後群ＬＲの合成ズーム比Ｚｒが大きくなりすぎると、各レンズ群の屈折力が強くなる、または各レンズ群のズーミングに際しての移動量が大きくなる。この結果、全ズーム範囲にわたり高い光学性能を実現することが困難となる。条件式（２）の下限値を超えて、後群ＬＲの合成ズーム比Ｚｒが小さくなりすぎると、高ズーム比化が困難となる。更に好ましくは、条件式（２）の数値範囲を次の如く設定するのが良い。
１．５＜Ｚｒ＜１．８  ・・・（２ａ）
【００３５】
各実施例では第１レンズ群Ｌ１を物体側から像側へ順に、負レンズ、正レンズ、正レンズからなる全体として３枚のレンズで構成している。これにより、高ズーム比を図る際に球面収差と色収差の発生を軽減している。高ズーム比を達成すると望遠端における全系の焦点距離が長くなるため、望遠端において軸上の色収差が大きく発生してくる。そのため、第１レンズ群Ｌ１に含まれる正レンズの材料のｄ線におけるアッベ数の平均値を適切に設定する必要がある。条件式（３）は、そのときのアッベ数の平均値を適切に規定するものである。
【００３６】
条件式（３）の下限値を超えて、第１レンズ群Ｌ１中の正レンズの材料のｄ線におけるアッベ数の平均値が小さくなりすぎると、望遠端において軸上の色収差を抑制することが困難となる。条件式（３）の上限値を超えて第１レンズ群Ｌ１中の正レンズの材料のｄ線におけるアッベ数の平均値が大きくなりすぎると、望遠端において軸上色収差が増大し、高い光学性能を得るのが困難になる。
【００３７】
光学部材の材料の製造容易性も考慮し、更に好ましくは、条件式（３）の数値範囲を次の如く設定するのが良い。
８０．０＜νｄ２３＜９５．０  ・・・（３ａ）
【００３８】
高ズーム比化を図りつつ、広角端から望遠端へのズーミングに際し、第４レンズ群Ｌ４と第５レンズ群Ｌ５の間隔が増大するためには、望遠端における全系の焦点距離に対する第６レンズ群Ｌ６の焦点距離の比を適切に設定する必要がある。この比を適切に設定することで、第６レンズ群Ｌ６と像面ＩＰの間隔（バックフォーカス）を適切に保つことが容易となる。これにより、広角端から望遠端へのズーミングに際し第４レンズ群Ｌ４と第５レンズ群Ｌ５の間隔を増大させることができる。条件式（４）は、その望遠端における全系の焦点距離に対する第６レンズ群Ｌ６の焦点距離の比を適切に規定するものである。
【００３９】
条件式（４）の上限値を超えて、望遠端における全系の焦点距離に対する第６レンズ群Ｌ６の焦点距離の比が大きくなりすぎると、バックフォーカスが長くなるとともに、ズーミングに伴う収差変動を抑制することが困難となる。条件式（４）の下限値を超えて、望遠端における全系の焦点距離に対する第６レンズ群Ｌ６の焦点距離の比が小さくなりすぎると、バックフォーカスが短くなる。バックフォーカスが短くなると、ズームレンズからの光束を上方のファインダー系に反射するクイックリターンミラー等の撮像装置を構成する各部材を格納することが困難となる。更に好ましくは、条件式（４）の数値範囲を次の如く設定するのが良い。
０．０８＜ｆ６／ｆｔ＜０．１２  ・・・（４ａ）
【００４０】
以上、本発明の好ましい実施形態について説明したが、本発明はこれらの実施形態に限定されず、その要旨の範囲内で種々の変形及び変更が可能である。
【００４１】
各実施例において好ましくは各レンズ群を物体側から像側へ順に、以上の如く構成するのが良い。第１レンズ群Ｌ１は負レンズと正レンズを接合した接合レンズ、正レンズより構成するのが良い。第２レンズ群Ｌ２は負レンズ、負レンズ、正レンズ、負レンズより構成するのが良い。第３レンズ群Ｌ３は正レンズ、正レンズ、負レンズと正レンズを接合した接合レンズより構成するのが良い。第４レンズ群Ｌ４は負レンズ、負レンズと正レンズを接合した接合レンズより構成すること、または負レンズ、正レンズと負レンズを接合した接合レンズより構成することが良い。
【００４２】
第５レンズ群Ｌ５は負レンズ、正レンズと負レンズを接合した接合レンズより構成すること、または負レンズ、正レンズと正レンズを接合した接合レンズより構成するのが良い。第６レンズ群Ｌ６は正レンズ、正レンズと負レンズを接合した接合レンズより構成するのが良い。
【００４３】
本発明のズームレンズを撮影光学系として用いたデジタルカメラ（撮像装置）の実施形態を図１０により説明する。レンズ鏡筒１０には、実施例１乃至３に示したズームレンズ１１が内蔵されている。カメラ本体２０内には、ズームレンズ１１によって取り込まれた光束を上方に反射するクイックリターンミラー２１、ズームレンズ１１によって被写体像が形成される焦点板２２が設けられている。
【００４４】
更に焦点板２２からの光束を正立像に変換するペンタダハプリズム２３、焦点板２２上に形成された被写体像を観察するための接眼レンズ２４、ズームレンズ１１からの光束を受光するＣＣＤセンサやＣＭＯＳセンサ等の固体撮像素子２５等が設けられている。
【００４５】
図１０は、観察状態つまり撮影待機状態を表しているが、レリーズボタンを撮影者が操作することにより、ミラー２１が図示の光路中から退避し、固体撮像素子２５上に被写体像が取り込まれる。尚、本発明はクイックリターンミラーのないＳＬＲ（Single Lens Reflex）カメラにも同様に適用することができる。また本発明のズームレンズはビデオカメラにも同様に適用することができる。
【００４６】
以下、実施例１乃至３に対応する実施例１乃至３の具体的な数値データを示す。各実施例において、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０を各々非球面係数としたとき、
【００４７】
【数１】
0006525613.tif 000002
【００４８】
なる式で表している。＊は非球面形状を有する面を意味している。「ｅ−ｘ」は１０−ｘを意味している。ＢＦは空気換算のバックフォーカスである。レンズ全長は第１レンズ面から最終レンズ面までの距離にバックフォーカスＢＦの値を加えた値である。また、前述の各条件式と実施例との関係を表１に示す。
【００４９】
[実施例１]
単位 mm
面データ
面番号       r        d      nd         νd       有効径
1        225.933    5.80   1.90270    31.0      120.00
2        139.277   16.11   1.49700    81.5      110.42
3       -645.641    0.20                        108.78
4        130.441   10.86   1.49700    81.5      104.95
5        572.810  (可変)                        103.91
6       1293.147    3.20   1.80400    46.6       65.79
7         40.341   11.81                         51.19
8       -125.469    2.50   1.80400    46.6       51.17
9        101.001    0.20                         49.00
10         59.725    8.84   1.80809    22.8       48.80
11       -107.625    1.29                         48.42
12        -74.669    2.30   1.80400    46.6       48.40
13        144.636  (可変)                         45.93
14         49.843    3.40   1.64000    60.1       31.06
15       -996.960   10.14                         31.03
16         51.000    4.62   1.69680    55.5       30.07
17        -72.354    0.20                         29.83
18        -79.219    1.40   1.72151    29.2       29.50
19         32.717    5.51   1.69680    55.5       27.71
20*      -159.908    1.00                         27.11
21(絞り)    ∞     (可変)                         26.32
22       -476.662    2.26   1.85026    32.3       23.87
23         45.807    1.61                         22.80
24       -442.487    1.40   1.53172    48.8       22.80
25         33.052    2.52   1.80809    22.8       22.67
26        227.118  (可変)                         22.56
27        -65.319    1.40   1.80400    46.6       29.17
28         88.771    0.20                         30.60
29         58.379    4.56   1.78472    25.7       31.65
30        -81.219    1.55   1.83481    42.7       31.83
31         69.153  (可変)                         33.00
32      -2587.612    4.48   1.49700    81.5       33.92
33        -41.464    0.20                         34.41
34         76.789    8.67   1.49700    81.5       37.35
35        -34.334    1.81   1.90270    31.0       37.46
36        -60.751  (可変)                         38.99
像面        ∞   
【００５０】
非球面データ
第20面
K = 0.00000e+000  A 4= 5.16159e-006  A 6= 9.86154e-011  A 8= 5.81057e-013  A10= 4.16829e-015  
各種データ
ズーム比     18.86 
広角     中間     望遠
焦点距離      28.80   119.57   543.20  
Fナンバー      2.88     4.56     5.88  
半画角（度）  36.91    10.26     2.28  
像高          21.64    21.64    21.64  
レンズ全長   281.07   331.07   385.01  
BF            53.05    61.31    40.00  
物体距離無限遠
d 5            3.00    73.17   133.10  
d13           76.98    32.81     3.00  
d21            3.00     5.00     3.00  
d26            3.39    34.82    82.87  
d31           21.60     3.91     3.00  
d36           53.05    61.31    40.00  
広角、中間は物体距離７００ｍｍ
望遠は物体距離１２００ｍｍ
d 5            3.00    73.17   133.10  
d13           76.98    32.81     3.00  
d21            3.39     7.63    22.07  
d26            3.00    32.20    63.80  
d31           21.60     3.91     3.00  
d36           53.05    61.31    40.00  
入射瞳位置    71.25   268.92   990.08  
射出瞳位置  -209.81  -123.95  -294.46  
前側主点位置  96.90   311.32   651.05  
後側主点位置  24.25   -58.26  -503.20  
ズームレンズ群データ
群  始面    焦点距離  レンズ構成長  前側主点位置  後側主点位置
1    1     209.45        32.97         7.83        -13.64
2    6     -30.81        30.14         7.56        -12.74
3   14      36.13        26.27         8.72        -13.23
4   22     -60.15         7.80         0.77         -4.38
5   27     -47.55         7.71         2.32         -1.95
6   32      47.92        15.15         4.68         -5.50
単レンズデータ
レンズ  始面  焦点距離
1       1   -415.46
2       2    232.09
3       4    337.10
4       6    -51.85
5       8    -69.26
6      10     48.68
7      12    -60.97
8      14     74.27
9      16     43.60
10      18    -31.92
11      19     39.44
12      22    -49.05
13      24    -57.78
14      25     47.59
15      27    -46.62
16      29     43.91
17      30    -44.53
18      32     84.74
19      34     49.01
20      35    -90.40
【００５１】
[実施例２]
単位 mm
面データ
面番号       r        d      nd         νd       有効径
1*       224.088    5.70   1.90270    31.0      120.31
2        140.294   14.08   1.49700    81.5      110.82
3      -4517.403    0.20                        108.20
4        139.341    9.99   1.49700    81.5       93.22
5      -82313.087  (可変)                         92.52
6*      1640.024    3.45   1.80400    46.6       70.64
7         46.770   12.52                         55.44
8       -114.586    2.75   1.80400    46.6       55.42
9        131.657    0.20                         52.83
10         75.481    9.16   1.80809    22.8       52.39
11        -96.393    1.40                         52.00
12        -70.612    2.60   1.80400    46.6       51.97
13        201.810  (可変)                         49.33
14*        41.171    5.31   1.64000    60.1       38.01
15        426.149    5.62                         37.83
16         45.585    5.67   1.69680    55.5       35.18
17        -94.616    0.20                         34.92
18        -87.708    1.79   1.72151    29.2       34.80
19         31.428    4.56   1.69680    55.5       31.10
20*      -606.140    1.00                         30.72
21(絞り)    ∞     (可変)                         30.31
22*      -133.323    2.26   1.85026    32.3       27.43
23         39.786    1.19                         26.11
24         83.327    1.60   1.53172    48.8       26.11
25         28.278    3.31   1.80809    22.8       25.94
26*       151.791  (可変)                         25.79
27        -69.099    1.45   1.80400    46.6       28.41
28         44.791    0.20                         30.07
29         47.760    3.35   1.85478    24.8       30.14
30      -1061.401    1.50   1.83481    42.7       30.38
31*       171.204  (可変)                         31.04
32         66.272    5.74   1.49700    81.5       34.24
33        -56.477    0.20                         34.44
34        252.320    4.20   1.49700    81.5       34.62
35        -54.731    1.70   1.90270    31.0       34.61
36*      -142.117  (可変)                         35.09
像面        ∞   
【００５２】
非球面データ
第1面
K = 0.00000e+000  A 4=-5.36583e-009  A 6=-2.63569e-014  A 8=-9.71746e-019  
第6面
K = 0.00000e+000  A 4= 2.22706e-007  A 6=-1.53628e-010  A 8= 7.10120e-014  
第14面
K = 0.00000e+000  A 4= 1.55044e-006  A 6= 1.22159e-009  A 8= 1.38066e-012  
第20面
K = 0.00000e+000  A 4= 8.47510e-006  A 6= 3.28494e-009  A 8= 4.33474e-012  A10= 2.62592e-014  
第22面
K = 0.00000e+000  A 4= 4.16145e-006  A 6=-1.85206e-009  A 8=-1.46691e-012  
第26面
K = 0.00000e+000  A 4= 3.46678e-006  A 6= 3.56138e-010  A 8=-2.82205e-012  
第31面
K = 0.00000e+000  A 4=-2.37337e-006  A 6= 7.53414e-010  A 8=-2.93922e-012  
第36面
K = 0.00000e+000  A 4= 2.17460e-006  A 6= 3.86144e-010  A 8=-1.77100e-013  
各種データ
ズーム比     18.86 
広角     中間     望遠
焦点距離      28.80   100.00   543.20  
Fナンバー      2.68     3.72     5.83  
半画角（度）  36.91    12.21     2.28  
像高          21.64    21.64    21.64  
レンズ全長   300.00   314.88   400.00  
BF            50.05    67.96    72.72  
物体距離無限遠
d 5            3.00    57.74   126.10  
d13          105.39    38.60     3.00  
d21            3.00     6.82     3.00  
d26            3.31    18.47    79.30  
d31           22.35    12.40     3.00  
d36           50.05    67.96    72.72  
広角、中間は物体距離７００ｍｍ
望遠は物体距離１２００ｍｍ
d 5            3.00    57.74   126.10  
d13          105.39    38.60     3.00  
d21            3.31     9.10    20.51  
d26            3.00    16.19    61.78  
d31           22.35    12.40     3.00  
d36           50.05    67.96    72.72  
入射瞳位置    74.48   203.79   774.19  
射出瞳位置  -109.08  -110.32  -175.14  
前側主点位置  98.07   247.70   126.91  
後側主点位置  21.25   -32.04  -470.48  
ズームレンズ群データ
群  始面    焦点距離  レンズ構成長  前側主点位置  後側主点位置
1    1     209.73        29.97         7.98        -11.56
2    6     -34.36        32.08         8.19        -13.61
3   14      37.04        24.15         4.70        -13.09
4   22     -60.07         8.35         0.27         -4.99
5   27     -60.02         6.50         0.84         -2.74
6   32      59.11        11.84         2.38         -5.46
単レンズデータ
レンズ  始面  焦点距離
1       1   -429.48
2       2    274.05
3       4    279.90
4       6    -59.94
5       8    -75.82
6      10     53.66
7      12    -64.79
8      14     70.83
9      16     44.90
10      18    -31.87
11      19     43.01
12      22    -35.82
13      24    -81.32
14      25     42.50
15      27    -33.61
16      29     53.54
17      30   -176.50
18      32     62.32
19      34     90.91
20      35    -99.52
【００５３】
[実施例３]
単位 mm
面データ
面番号       r        d      nd         νd       有効径
1        190.971    5.70   1.90366    31.3      120.67
2        129.954   13.05   1.43875    94.9      111.14
3        782.990    0.20                        108.47
4        136.434   14.57   1.49700    81.5      106.07
5*      -834.479  (可変)                        105.18
6*      -442.115    3.20   1.80400    46.6       71.70
7         47.292   13.09                         56.11
8       -103.928    2.65   1.80400    46.6       56.10
9        126.496    0.20                         54.14
10         87.001    9.97   1.80809    22.8       54.11
11        -78.507    1.70                         53.83
12        -59.409    2.50   1.80400    46.6       53.81
13       3250.739  (可変)                         52.63
14         41.497    4.93   1.60311    60.6       37.51
15        487.689   12.95                         37.39
16         40.287    6.33   1.60311    60.6       34.34
17        -86.756    0.20                         33.96
18        -96.513    1.55   1.72151    29.2       33.49
19         32.974    4.97   1.69680    55.5       30.63
20*      -369.952    0.50                         30.11
21(絞り)    ∞     (可変)                         29.84
22        251.750    1.30   1.88300    40.8       26.29
23         48.255    3.86                         25.30
24        385.747    3.50   1.80809    22.8       24.76
25        -99.803    1.20   1.60311    60.6       24.37
26        103.837  (可変)                         23.83
27        -56.640    1.10   1.88300    40.8       24.40
28         43.482    0.20                         25.83
29         43.542    2.68   1.85478    24.8       26.27
30        576.339    1.20   1.58313    59.4       26.54
31*      59112.820  (可変)                         26.86
32         73.918    3.11   1.48749    70.2       29.63
33       -137.567    0.20                         29.82
34       -488.339    3.28   1.48749    70.2       30.02
35        -43.336    1.40   1.83400    37.2       30.17
36*       -57.251  (可変)                         30.83
像面        ∞   
【００５４】
非球面データ
第5面
K = 0.00000e+000  A 4= 3.09899e-008  A 6=-9.65720e-013  A 8= 1.97555e-017  A10=-3.06858e-021  
第6面
K = 0.00000e+000  A 4= 5.20502e-007  A 6=-8.65630e-011  A 8=-3.64817e-014  A10= 3.61832e-017  
第20面
K = 0.00000e+000  A 4= 7.04615e-006  A 6= 2.41922e-010  A 8= 2.16795e-013  A10= 1.21243e-014  
第31面
K = 0.00000e+000  A 4=-6.44674e-006  A 6=-1.37325e-008  A 8= 6.24780e-011  A10=-1.27439e-013  
第36面
K = 0.00000e+000  A 4= 4.11920e-006  A 6= 6.28556e-009  A 8=-1.77693e-011  A10= 2.81789e-014  
各種データ
ズーム比     18.86 
広角     中間     望遠
焦点距離      28.80   100.00   543.20  
Fナンバー      2.88     4.00     5.69  
半画角（度）  36.91    12.21     2.28  
像高          21.64    21.64    21.64  
レンズ全長   300.00   325.70   391.59  
BF            46.89    61.66    75.00  
物体距離無限遠
d 5            3.00    62.87   129.29  
d13          109.60    45.83     3.00  
d21            3.00     5.00     3.00  
d26            3.31    22.08    57.01  
d31           12.91     6.97     3.00  
d36           46.89    61.66    75.00  
広角、中間は物体距離７００ｍｍ
望遠は物体距離１２００ｍｍ
d 5            3.00    62.87   129.29  
d13          109.60    45.83     3.00  
d21            3.31     6.93    20.75  
d26            3.00    20.15    39.26  
d31           12.91     6.97     3.00  
d36           46.89    61.66    75.00  
入射瞳位置    76.39   233.27   936.15  
射出瞳位置   -57.07   -76.31  -111.94  
前側主点位置  97.21   260.79   -99.01  
後側主点位置  18.09   -38.34  -468.20  
ズームレンズ群データ
群  始面    焦点距離  レンズ構成長  前側主点位置  後側主点位置
1    1     209.83        33.52         8.50        -13.89
2    6     -33.40        33.31         6.60        -16.49
3   14      39.43        31.43         9.97        -16.90
4   22     -60.12         9.86         1.92         -5.20
5   27     -60.13         5.18        -0.15         -3.14
6   32      64.82         7.99         2.98         -2.40
単レンズデータ
レンズ  始面  焦点距離
1       1   -470.98
2       2    352.98
3       4    237.12
4       6    -52.98
5       8    -70.60
6      10     52.48
7      12    -72.54
8      14     74.89
9      16     46.49
10      18    -33.89
11      19     43.67
12      22    -67.81
13      24     98.44
14      25    -84.19
15      27    -27.71
16      29     54.97
17      30    998.09
18      32     99.11
19      34     97.32
20      35   -224.03
【００５５】
【表１】
0006525613.tif 000003
【符号の説明】
【００５６】
Ｌ１  第１レンズ群    Ｌ２  第２レンズ群    Ｌ３  第３レンズ群
Ｌ４  第４レンズ群    Ｌ５  第５レンズ群    Ｌ６  第６レンズ群
【図１】
0006525613.tif 000004
【図２】
0006525613.tif 000005
【図３】
0006525613.tif 000006
【図４】
0006525613.tif 000007
【図５】
0006525613.tif 000008
【図６】
0006525613.tif 000009
【図７】
0006525613.tif 000010
【図８】
0006525613.tif 000011
【図９】
0006525613.tif 000012
【図１０】
0006525613.tif 000013